(57)【特許請求の範囲】
【請求項１】
ケーシング内に濾布を中心とする濾過部を設置し、密閉状態で濾過作業を行なう密閉型濾過機において、ケーシング１の片側端部に、ケーシング１の側壁９を囲むようにして水槽１０を設置し、側壁９の下端縁よりもケーシング１内に突出する水槽１０の仕切り板１１の上端縁を高く形成して濾布４はケーシング１と水槽１０間に循環可能に張設し、水槽１０の上部には蓋体１２を設置して成ることを特徴とする密閉型濾過機。
【請求項２】
ケーシング内に濾布を中心とする濾過部を設置し、密閉状態で濾過作業を行なう密閉型濾過機において、ケーシング１の片側端部に、ケーシング１の側壁９を囲むようにして水槽１０を設置し、側壁９の下端縁よりもケーシング１内に突出する水槽１０の仕切り板１１の上端縁を高く形成して濾布４はケーシング１と水槽１０間に循環可能に張設し、水槽１０の上部には蓋体１２を設置するとともに水槽１０内に濾布４の洗浄管１７を設けて成ることを特徴とする密閉型濾過機。
【発明の詳細な説明】
【０００１】
【発明の属する技術分野】
本発明は、混合物から液状物質と固形物質とを分離する濾過機に関し、特に、濾布を中心とする濾過部をケーシングで密閉した濾過機に関するものである。
【０００２】
【従来の技術】
食用油、ラノリン、ビスフェノール、セルロース誘導体等々の有機溶剤を含む混合物を濾過する場合、これらの溶剤は人体に有害であるとともに大気中での濾過作業では可燃あるいは爆発する危険性を有している。また、大気中での濾過作業では酸素により変質する混合物がある。更に、化学薬品の中には刺激臭を発する混合物がある。
【０００３】
そこで、上記する混合物を濾過する場合、エンドレスの濾布を中心とした濾過に必要な機構を含む濾過部をケーシングで密閉し、ケーシング内で濾過作業を行なうようになっている。例えば、有機溶剤を含む混合物や酸素により変質する混合物を濾過する場合にはケーシング内にチッソを充満させ、大気を遮断していた。また、刺激臭を発する混合物の場合には、臭気がケーシングから外部に漏れないようにしていた。
【０００４】
図４は、従来使用している密閉型濾過機の一例を示すものであり、複数のローラ間に循環可能に張設したエンドレスの濾布ａを中心にした濾過部はケーシングＡ内に密閉されている。
濾布ａは、駆動ローラｂによってＸ矢印方向に循環させ、液体と固体の混合物は、供給管ｃを通して濾布ａの水平上面に供給すれば、濾布ａによって固液が分離され、液状物質は回収され、濾布ａの表面に形成された固形物質（ケーキ）は駆動ローラｂに近接して設けた図示しないスクレーパーで掻き落とされ、排出口ｄから排出される。固形物質を排出した濾布ａ面は、洗浄管ｅから噴射される洗浄水によって洗浄される。
【０００５】
図４に示す濾過機は、一例として水平型ベルトフイルターを示したものであり、固液を分離するために複数の真空箱ｆを使用し、真空箱ｆを濾布ａの下面に真空圧で密着させ、真空箱ｆから液状物質を吸引して排出するようになっているが、他の構造の濾過部を採用することもできる。また、真空箱ｆに変えてケーシングＡ内全体を加圧する場合もある。
【０００６】
上記する濾布ａ、濾布ａの駆動ローラｂや複数の張設ローラｇ、混合物の供給配管ｃその他の濾布ａを中心とした濾過部は、全体がケーシングＡ内に収容され、内部は密閉可能となっている。そして、有機溶剤を含む混合物や酸素により変質する混合物を濾過する場合には配管ｈを通してケーシングＡ内にチッソを充満させて濾過作業を行なうようになっいる。尚、チッソは、単にケーシングＡ内に充満させるだけではなく、ケーシングＡ内を真空箱ｆから吸引し、液体を分離したガスを循環させる場合もある。
【０００７】
通常、濾過機に使用している濾布ａは、長期間の使用によって擦り切れたり、目詰まり現象をおこすことがある。このような場合には濾布ａを交換する必要がある。濾布ａの交換に際してはケーシングＡに設置したマンホールやハッチ等の蓋体ｉを開けて行なう。即ち、図５に詳細を示すように、蓋体ｉを外した後の開放部ｊを通して古い濾布ａを切断又は継手を外し、古い濾布ａの片側端部と新しい濾布ａ１の端部間を縫い合わせる又は継手による接合等により連結する。
【０００８】
そして、駆動ローラｂを回転させつつ古い濾布ａの他の自由端部を開放部ｊから外部に引けば（Ｙ矢印方向）、濾布ａは駆動ローラｂや張設ローラｇを通して引き出され、同時に新しい濾布ａ１は濾布ａに引っ張られ、ケーシングＡ内に送り込まれる。
濾布ａ、ａ１相互の縫い合わせ端部がケーシングＡ内を一巡して開放部ｊまで達した時、古い濾布ａと新しい濾布ａ１との連結状態を解き、新しい濾布ａ１の端部相互を縫い合わせ等によってエンドレスに連結し、駆動ローラｂや張設ローラｇ間に循環可能に張設すればよい。
【０００９】
【発明が解決しようとする課題】
このように濾布交換に際しては蓋体ｉを開くが、ケーシングＡ内に充満している溶剤自体は人体に有害であり、チッソガス内では酸欠の危険があるので、濾布交換前にケーシングＡから溶剤およびチッソを排出し、大気に置換する必要がある。
チッソを大気に置換するには、蓋体ｉを開き、ケーシングＡ内に送風して大気中に開放するが、安全性を考慮して濾過機を含む全プラントを２〜３日停止しなければならないものであった。その後、置換されたか否か酸素濃度の確認チェックをしなければならず、チッソを大気に置換するのには労力と時間の大幅なロスとなっていた。また、チッソをケーシング外に放散する際には作業員が吸引しないように注意する必要があった。更に、チッソを放散し、濾布交換が終了した後にケーシング内にチッソを充満する必要があり、チッソを無駄に消費し経済的損失も大きいものであった。
【００１０】
本発明は、上記する従来のケーシング内にチッソを充満させた状態で濾過作業を行なう密閉型濾過機の種々の問題点に鑑み、濾布交換に際してケーシング内のチッソを外部に放散し、大気に置換する必要のない密閉型濾過機を提供することを目的とするものである。
【００１１】
【課題を解決するための手段】
上記の目的を達成するために本発明は、ケーシング内に濾布を中心とする濾過部を設置し、密閉状態で濾過作業を行なう密閉型濾過機において、ケーシング１の片側端部に、ケーシング１の側壁９を囲むようにして水槽１０を設置し、側壁９の下端縁よりもケーシング１内に突出する水槽１０の仕切り板１１の上端縁を高く形成して濾布４はケーシング１と水槽１０間に循環可能に張設し、水槽１０の上部には蓋体１２を設置してある。
【００１２】
また、本発明は、ケーシング内に濾布を中心とする濾過部を設置し、密閉状態で濾過作業を行なう密閉型濾過機において、ケーシング１の片側端部に、ケーシング１の側壁９を囲むようにして水槽１０を設置し、側壁９の下端縁よりもケーシング１内に突出する水槽１０の仕切り板１１の上端縁を高く形成して濾布４はケーシング１と水槽１０間に循環可能に張設し、水槽１０の上部には蓋体１２を設置するとともに水槽１０内に濾布４の洗浄管１７を設けてある。
【００１３】
【発明の実施の形態】
以下、図面に従って、本発明の実施の形態を詳細に説明する。
図１は本発明密閉型濾過機の一実施形態を示すものであり、密閉可能なケーシング１内において駆動ローラ２と複数の張設ローラ３間に張設したエンドレスの濾布４を一定方向（Ｘ矢印方向）に循環させ、供給管５によって濾布４の水平上面に液状物質と固形物質との混合物を供給し、濾布４によって固液を分離し、液状物質は真空箱６を通して外部に回収し、固形物質（ケーキ）は駆動ローラ２の部分で掻き落とし、排出口７から排出する。ケーキを剥離した後の濾布４面は洗浄管８からの洗浄水の吹き付けによって洗浄する。
上記する濾過機は、一例として従来の水平型ベルトフイルターの場合であるが、これに限定されるものではなく、密閉したケーシング１内で濾過可能であれば他の構造の濾過部を採用することも可能である。
【００１４】
本発明においては、濾布４の進行方向にそったケーシング１の片側端部において、ケーシング１の側壁９を囲むようにして水槽１０を設置し、ケーシング１内に垂直に突出する水槽１０の仕切り板１１の上端縁をケーシング１の側壁９の下端縁よりも高い位置とし、側壁９と仕切り板１１との間に高低差Ｈを形成する。
そして濾布４は、水槽１０内に設けた複数の張設ローラ３を介してケーシング１間に循環可能に張設するとするとともに水槽１０の上部にマンホールあるいはハッチ等の蓋体１２を設けたことを特徴としている。尚、図１において符号１３は給水弁、１４は排水弁である。
【００１５】
有機溶剤を含む混合物や酸素によって変質する混合物を濾過する場合には、従来と同じく配管１５を通してケーシング１内にチッソを充満させる。長期間の濾過作業によって濾布４が擦り切れたり、目詰まり現象をおこし、濾布交換を行なう場合には、濾過運転を停止し、図２に示すように給水弁１３を開いて水槽１０内に水のような液体を満たす。
【００１６】
前記の通り、水槽１０の仕切り板１１の上端縁はケーシング１の側壁９の下端縁よりも高い位置にあるので、液体を側壁９の下端縁を越えて仕切り板１１の上端近くまで満たせば、ケーシング１内と水槽１０内とは遮断されることになり、その後、蓋体１２を水槽１０から取り外して水槽１０の上面を開放する。
尚、側壁９の下端縁の水没深さは、ケーシング１内の圧力と大気圧の差を考慮して決定すればよい。
【００１７】
蓋体１２を開いた後の開放部１６を通して古い濾布４を切断又は継手を外し、古い濾布４の片側端部に新しい濾布４ａの端部を縫い合わせ又は継手による接合等によって連結する。そして、駆動ローラ２を回転させつつ古い濾布４の自由端部を開放部１６からＹ矢印方向へ引き出し、同時に古い濾布４によって新しい濾布４ａをケーシング１内に引っ張り込む。
【００１８】
そして、古い濾布４と新しい濾布４ａとの連結部がケーシング１内を一巡して開放部１６に引き出された時、濾布４、４ａ相互の連結部を解き、新しい濾布４ａの端部相互を縫い合わせ等によって連結し、駆動ローラ２や張設ローラ３間に循環可能に張設すればよい。その後、蓋体１２を水槽１０に取り付けて開放部１６を密閉し、水槽１０内の液体を排水弁１４を開いて排出すればよい。液体を排出後、ケーシング１内のチッソは水槽１０内に入り、濾過運転が可能となる。
尚、濾布４交換に際して蓋体１２を開いた時、水槽１０内の液面と蓋体１２間に充満しているチッソが外部に漏れ出るが、少量であるので注意をすれば人体への悪影響はない。
【００１９】
図３は、本発明濾過機の他の実施形態を示すものであり、前記の実施形態と同じ部分は同じ符号を使用している。この実施形態では水槽１０内に濾布４の洗浄管１７を設置したことを特徴としている。
この洗浄管１７を通して濾布４面に洗浄水を噴射すれば、駆動ローラ２部分でケーキを剥離した濾布４の洗浄が可能であり、洗浄中、排水弁１４を開いておけばそのまま汚水の排水が可能である。このような構造とすれば、濾布４洗浄のために駆動ローラ２の近くに別に洗浄管８を設ける必要はない。
【００２０】
上記の説明においては、濾布４の下面に真空圧を加えて混合物から液状物質を吸引し、固形物質と分離する場合であるが、これに限定されるものではなく、ケーシング１内全体に圧力を加えて濾過作業をする濾過機にも適用可能である。また、ケーシング１内で濾過作業が可能な濾過部であれば、ドラム型ベルトフイルター、ベルトプレスフイルター、フイルタープレス等その構造を問うものではない。更に、刺激臭をともなう化学物質のような混合物を濾過する場合でも、濾布交換に際して水槽１０内に液体を満たすことによりケーシング１内は遮断され、臭気が外部に漏れ出ることはない。
【００２１】
【発明の効果】
以上、説明した本発明によれば、混合物から液状物質と固形物質とを分離する濾布４を中心とした濾過部をケーシング１によって密閉し、ケーシング１の片側端部に水槽１０を設置し、濾布４はケーシング１と水槽１０内に循環可能としたので、有機溶剤を含む混合物や酸素によって変質する混合物を濾過する際にはケーシング１内にチッソを充満させて濾過作業を行なえばよい。
【００２２】
濾布４を交換する場合には、水槽１０内に水を満たしてケーシング１内を外部から遮断状態とし、水槽１０に設けた蓋体１２を開いて古い濾布４と新しい濾布４ａとの交換作業を行なえばよく、濾布交換中、ケーシング１内は密閉状態であるので溶剤が外部に放散されることがなく、人体に悪影響を与えることがない。
【００２３】
従って、濾布４交換に際して濾過機を含む全プラントの運転を停止する必要がないので労力と時間の無駄を無くすことができる。しかもチッソを入れ替える必要がないので経済的にも有効である。
また、水槽１０内に濾布４洗浄用の管１７を設けておけば、別に洗浄管８を設ける必要がなく、構造を簡単にすることができる。
【図面の簡単な説明】
【図１】本発明濾過機の一実施形態を示す正面図である。
【図２】本発明濾過機の一実施形態を示す濾過交換作業を示す要部の正面図である。
【図３】本発明濾過機の他の実施形態を示す要部の正面図である。
【図４】従来の密閉型濾過機の一例を示す正面図である。
【図５】従来の密閉型濾過機の濾布交換作業を示す要部の正面図である。
【符号の説明】
１  ケーシング
２  駆動ローラ
３  張設ローラ
４  濾布
５  供給管
６  真空箱
７  排出口
８  洗浄管
９  側壁
１０  水槽
１１  仕切り板
１２  蓋体
１３  給水弁
１４  排水弁
１５  配管
１６  開放部
１７  洗浄管
Ａ  ケーシング
ａ  濾布
ｂ  駆動ローラ
ｃ  供給管
ｄ  排出口
ｅ  洗浄管
ｆ  真空箱
ｇ  張設ローラ
ｈ  配管
ｉ  蓋体
ｊ  開放部
【図１】
0003743923.tif 000002
【図２】
0003743923.tif 000003
【図３】
0003743923.tif 000004
【図４】
0003743923.tif 000005
【図５】
0003743923.tif 000006